(57)【特許請求の範囲】
【請求項１】
口腔内から出した舌と口腔底の間に挿入する舌受け治具であって、
前記舌を安定的に静止状態で維持し、波長４００ｎｍから８００ｎｍの可視光の波長域の各波長において、前記舌の反射率から１０％以上高い、もしくは、１０％以上低い反射特性を有して、前記舌に対して背景となり、前記舌と背景がコントラストを示し、前記可視光に対する５０ｎｍごとの分光反射率が以下の条件の一部又は全部を満たす舌受け治具。
波長４００ｎｍ以上４５０ｎｍ未満の光に対して３０％以上、
波長４５０ｎｍ以上５００ｎｍ未満の光に対して３５％以上、
波長５００ｎｍ以上５５０ｎｍ未満の光に対して３５％以上、
波長５５０ｎｍ以上６００ｎｍ未満の光に対して３５％以上、
波長６００ｎｍ以上６５０ｎｍ未満の光に対して６０％以上もしくは５％以下、
波長６５０ｎｍ以上７００ｎｍ未満の光に対して６５％以上もしくは３０％以下、
波長７００ｎｍ以上７５０ｎｍ未満の光に対して６５％以上もしくは３０％以下、
波長７５０ｎｍ以上８００ｎｍ未満の光に対して５５％以上もしくは１５％以下。
【請求項２】
前記舌受け治具は、前記口腔内から前記舌を出した状態で正面からみた前記舌の大きさよりも大きい本体部を備え、
前記本体部の一方に前記舌の大きさよりも小さい切込み部を有する請求項１に記載の舌受け治具。
【請求項３】
前記舌受け治具の厚みは１０ｍｍ以下である請求項１又は２に記載の舌受け治具。
【請求項４】
前記本体部の前記舌を載せる側に配され、かつ前記切込み部の外周側に連続する凹部を有する請求項２又は３に記載の舌受け治具。
【請求項５】
請求項１〜４のいずれか１項に記載の舌受け治具を、口腔内から出した舌と口腔底の間に挿入した状態で撮影して舌画像を取得する舌画像取得方法。
【発明の詳細な説明】
【技術分野】
【０００１】
本発明は舌受け治具に関する。
【背景技術】
【０００２】
舌診は中医学における医師の視覚による診察である望診において、重要な診察の一つである。舌診では、舌苔、舌の色具合、舌筋、舌形、舌厚さ等から、各種消化器系疾患、肝臓病、胆のう炎、脾臓炎等の診断が可能であると言われている。しかし、正確に診断するためには長年の経験と習練とが必要であることが問題とされ、舌画像を用いた診断方法が幾つか提案されている。
特許文献１では、病態を呈する標準舌画像と患者の舌像とを容易に比較できるようにすることにより、舌の病態を正確に診断できる方法を提案している。特許文献２では、患者の舌像情報に基づき、データべース化された基礎舌像情報より、近似する基礎舌像情報を検出し、その基礎舌像情報に対応する基礎舌画像を表示し、患者の舌画像と比較できるシステムを提案している。さらに、特許文献３では、舌の画像から舌の形状、舌表面の色、該色の範囲や分布等の状態パラメータを自動的に抽出し、得られた状態パラメータとデータベース化された舌診データとを比較して、舌診結果を出力する舌診装置が提案されている。この装置により、舌診の技能のない医師、もしくは医師と患者とが地理的に離れている場合であっても、さらには医師でない薬剤師等であっても舌診ができるとしている。
【先行技術文献】
【特許文献】
【０００３】
【特許文献１】特開平７−３９８号公報
【特許文献２】特開２００１−３１４３７６号公報
【特許文献３】特開２００９−２８０５８号公報
【発明の概要】
【発明が解決しようとする課題】
【０００４】
舌画像を用いた舌診において、舌苔、舌の色具合、色の分布、舌筋、舌形等の舌像情報や状態パラメータを正確に抽出もしくは検出するためには、その元となる舌画像を正確かつ鮮明に取得する必要がある。しかし、舌の状態、照明、撮影角度、被験者の肌の色等により、口腔から出した舌とその背景となる口腔内または口腔周辺との色調が近似してしまい、正確で鮮明な舌画像の取得が困難となる場合があった。
舌診において、舌辺に歯型がついている状態は歯痕舌といわれる。特に歯痕舌を判定するには、舌辺が鮮明に撮影されることが望まれる。
【０００５】
本発明は、舌を撮影する際の背景となって正確かつ鮮明な舌画像の取得を可能とし、かつ口腔から出した状態の舌の位置を安定化させる舌受け治具を提供することに関する。
【課題を解決するための手段】
【０００６】
本発明は、口腔内から出した舌と口腔底の間に挿入する舌受け治具であって、前記舌の背景となり、前記舌に対してのコントラストを有する舌受け治具を提供する。
【発明の効果】
【０００７】
本発明の舌受け治具は、舌を撮影する際の背景となって正確かつ鮮明な舌画像の取得が可能となり、かつ、口腔から出した状態の動きやすい舌の位置を安定化させることができる。
【図面の簡単な説明】
【０００８】
【図１】中医学による舌の部位の位置を模式的に示した上面図である。
【図２】本発明に係る舌受け治具の好ましい一実施形態を模式的に示した正面図である。
【図３】舌受け治具の別の好ましい実施形態を模式的に示した正面図である。
【図４】舌受け治具の別の好ましい実施形態を模式的に示した図面であり、（ａ）は上面図であり、（ｂ）は（ａ）のＩ−Ｉ線拡大断面図である。
【図５】舌受け治具のさらに別の好ましい実施形態を模式的に示した図面であり、（ａ）は上面図であり、（ｂ）は（ａ）のＩＩ−ＩＩ線拡大断面図である。
【図６】図４（ｂ）に示した舌受け治具の本体部の変形例を模式的に示した部分断面図である。
【図７】可視光域における舌苔が有る場合と無い場合の舌の分光反射率を示した舌の反射率特性図である。
【図８】舌受け治具を用いて舌画像を取得する方法における、舌と口腔底との間に舌受け治具を挿入する方法の好ましい一例を示した正面図である。
【発明を実施するための形態】
【０００９】
先ず、舌について説明する。
図１に示すように、舌１００の大きさは、成人であっても人によって多少の相違がある。日本人成人男性の平均の舌長Ｌｔは７．３ｃｍ、女性は７．２ｃｍである（「日本大百科全書：ニッポニカ」小学館、１９８８年１２月１日発行、ｐ２８４参照。）。舌長Ｌｔは、舌を平滑にした状態での分界溝から舌先までの距離とする。また、日本人成人男性の平均舌幅Ｗｔは、４．９ｃｍ、女性は４．５ｃｍである（「日本大百科全書：ニッポニカ」小学館、１９８８年１２月１日発行、ｐ２８４参照。）。舌幅Ｗｔは、口腔内から舌を出した状態での舌の最大幅とする。
中医学によれば、舌１００は、舌根１１１、舌中１１２、舌尖１１３、左右の舌辺１１４、１１５の各部分に分類される。
日本人成人男性の場合、舌根１１１は舌の付け根から舌先方向に長さ１ｃｍないし２．５ｃｍ程度の領域とされる。舌中１１２は舌根１１１と舌尖１１３の間の中間部の長さ２．５ｃｍないし３．５ｃｍ程度の領域とされる。舌尖１１３は舌中１１２から舌先にかけての長さ１ｃｍないし２．５ｃｍ程度の領域とされる。また、舌１００の左右のそれぞれの側縁から長さ０．６ｃｍないし１．２ｃｍの領域は舌辺１１４、１１５とされる。
【００１０】
次に、本発明に係る舌受け治具の好ましい一実施形態について、図２を参照しながら、以下に説明する。
【００１１】
図２に示すように、舌受け治具１０（１０Ａ）は、口腔（図示せず）内から出した２点鎖線で示す舌１００と口腔底（図示せず）の間に挿入した状態で舌１００の位置を維持して安定化するものである。舌１００の位置を安定化するとは、口腔内から出した舌１００を常に舌受け治具１０の一定の位置に静止した状態に維持することである。
舌受け治具１０は、口腔内から舌１００を出した状態の舌１００の輪郭よりもサイズが大きい板状もしくはシート状の本体部１１を備え、本体部１１の一方側には切込み部１２を有している。本体部１１は、舌１００の外周部（左右の舌辺および舌尖）と本体部１１とが重なり合う大きさにされている。舌１００を本体部１１に載せた状態で、舌１００の外周部と本体部１１とが重なりあうことで、舌１００の外周側に露出された本体部１１が舌１００に対しコントラスト（輝度差）を鮮明にする。また、切込み部１２は、口腔内から出した舌１００を本体部１１に載せたときに、舌１００と切込み部１２の周部との間に隙間を生じないように、舌１００よりも小さくされている。しかも、切込み部１２は、舌１００を口腔底に繋いでいる舌小帯（図示せず）に接触することがない大きさを有する。
【００１２】
舌受け治具１０は、舌１００と口腔底との間に挿入して、本体部１１に舌１００を載せることで、本体部１１が舌１００とのコントラストを鮮明にすることから、撮影した舌画像は、本体部１１に対して舌１００の輪郭が得やすくなる。さらに切込み部１２を有することから、舌１００と口腔底との間に舌受け治具１０を挿入した際に、舌小帯に掛かることなく、舌受け治具１０をスムースに挿入することができる。
さらに、舌１００に対して本体部１１がコントラストを有することから、特殊な撮影技術を持たない一般の人の誰でもが舌１００を鮮明に撮影することができる。
【００１３】
次に舌受け治具１０の本体部１１の詳細について説明する。
本体部１１の外形は、平面視した状態で、矩形、多角形、半長円形、半楕円形等が挙げられ、舌１００と口腔底との間に無理なく挿入できればその他の形状であってもよい。
本体部１１の大きさは、舌１００の撮影時に本体部１１が舌１００とのコントラストを得るためと、本体部１１への舌１００の安定化を考慮して決定される。そのためには、本体部１１に舌１００を載せたとき、本体部１１が舌１００からはみ出していることが必要である。舌１００から本体部１１がはみ出す長さＬｄは、少なくとも１ｍｍ以上、好ましくは２ｍｍ以上、さらに好ましくは５ｍｍ以上である。
【００１４】
また図３に示すように、舌受け治具１０には、切込み部１２の開口側とは反対側の本体部１１の幅方向側部の両側または片側に延長された延長部２１を有することが好ましい。図面では本体部１１の両側に延長部２１を配した例を示した。上記切込み部１２の開口側とは反対側の幅方向は、舌受け治具１０に舌１００を載せたときの舌幅方向と同じ方向であり、以下、舌幅方向ともいう。延長部２１の形状は、手で持てる形状、大きさであればよく、矩形、多角形、半長円形、半楕円形等が挙げられる。本体部１１の側部からの舌幅方向の長さで表される延長部の長さＬｅは、１ｍｍ以上、好ましくは１０ｍｍ以上、さらに好ましくは３０ｍｍ以上であり、そして４００ｍｍ以下、好ましくは２００ｍｍ以下、さらに好ましくは１００ｍｍ以下である。舌受け治具１０の本体部１１に上記の延長部２１を配したことによって、舌受け治具１０の本体部１１の口腔内への挿入しやすさを維持した状態で、舌受け治具１０が手で持ちやすくなる。この延長部１１の幅Ｗｅは本体部１１の長さＬと同等もしくは長さＬよりも短くてもよい。また延長部２１は本体部１１の切込み部１２の開口側とは反対側につながるように配されてもよい。この場合、両側の延長部２１同士が繋がるように配されてもよい。
【００１５】
本体部１１に配した切込み部１２は、本体部１１に舌１００を載せたときに舌根側となる方向に開口部があり、その形状は、半長円形、半楕円形、矩形等が挙げられる。切込み部１２は、舌１００と口腔底との間に舌受け治具１０を挿入したとき、舌１００と口腔底とをつなぐ舌小帯に触れないようにされていれば、その形状は規制されない。例えば、切込み部１２の幅は、舌１００の安定化しやすさと、舌１００と口腔底との間の口腔内への挿入のしやすさを考慮して、切込み部長さＬｃは４ｃｍ以上、好ましくは５ｃｍ以上、さらに好ましくは６ｃｍ以上である。そして舌と本体部との間に隙間が生じないという観点から、舌の長さ以下であり、好ましくは舌の長さより１ｍｍ以上短く、さらに好ましくは舌長さより２ｍｍ以上短い。また、舌小帯に触れないようにするという観点から、切込み部幅Ｗｃは３ｃｍ以上、好ましくは３．５ｃｍ以上、さらに好ましくは４ｃｍ以上である。そして舌と本体部との間に隙間が生じないという観点から、舌幅以下であり、好ましくは舌幅より１ｍｍ以上短く、さらに好ましくは舌幅より２ｍｍ以上短い。なお、男女による舌の長さの差は、前述のように１ｍｍ程度であり、ほとんど差がないといえる。このため、舌受け治具１０の各種寸法を男女別に設定する必要はないといえる。上記の舌の長さおよび舌幅とは、舌受け治具１０に舌１００を載せたときに、切込み部１２に対応する位置の舌の長さおよび舌幅をいう。
【００１６】
舌１００と口腔底との間に舌受け治具１０を挿入した場合、上記にように切込み部１２が配されることから、本体部１１が舌小帯に当たることなく、本体部１１を舌根の奥の方まで挿入できる。切込み部１２は、本体部１１が舌小帯に当たり、痛み、悪心、等を感じることを避けるのに有効である。切込み部１２が小さすぎる場合には、本体部１１が舌小帯に当たり、痛み、悪心、等を感じる場合がある。切込み部１２が大きすぎる場合には、舌１００と切込み部１２の本体部１１側との間に隙間を生じることがある。このような隙間を生じると、その隙間部分で舌１００に対してのコントラストが得られなくなることがある。そのため、切込み部１２は、本体部１１に舌１００を載せたときに、舌１００の側部に露出しない大きさ、すなわち、舌１００より小さい大きさにすることが好ましい。
【００１７】
また、図４および図５に示すように、本体部１１は、舌を載せる側の面に、舌の外形に近似させた形状の凹部１３を有することが好ましい。
図４（ａ）および（ｂ）に示すように、舌受け治具１０（１０Ｂ）は、本体部１１から切込み部１２の周部に凹部１３が配されたものである。このような構成は、本体部１１の厚みＴが、５ｍｍ以上、１０ｍｍ以下の場合に適している。または図５（ａ）および（ｂ）に示すように、舌受け治具１０（１０Ｃ）は、本体部１１に対して、切込み部１２の周部に凹部１３を成形したものであってもよい。すなわち、本体部１１が板体で形成され、切込み部１２の周部に、本体部１１の板体で形成された丸み１４を有する凹部１３を配するものである。このような構成は、本体部１１を構成する板体（又はシート）の厚みＴｂが薄くても本体部１１の丸み１４を有する曲面部分で全体の剛性を高めることができるので、本体部１１の板体（又はシート）の厚みＴｂが、５ｍｍ以下の場合に適している。
【００１８】
上記凹部１３は、いずれも、切込み部１２の外側の本体部１１に、切込み部１２の周部に連続して配されている。また、本体部１１に舌１００を置いたときに舌尖側となる本体部１１に、上記凹部１３が配されていてもよい。凹部１３の断面形状は、特に規制はなく、４分円、４分長円、４分楕円、矩形、等で、凹部１３の底面側と側部との境界付近の断面形状が舌１００の形状に合うような丸み１４を有することが好ましい。丸み１４は、例えば、舌を載せ易いという観点から、半径が５ｍｍ以上、好ましくは７ｍｍ以上、さらに好ましくは１０ｍｍ以上であり、そして半径が１５００ｍｍ以下、好ましくは５００ｍｍ以下、さらに好ましくは１５ｍｍ以下である。
一方、凹部１３の深さは、舌の位置決めをしやすくするという観点から、２ｍｍ以上、好ましくは４ｍｍ以上、さらに好ましくは５ｍｍ以上である。そして、舌の輪郭および舌辺の側部を見えやすくするという観点から、１０ｍｍ未満、好ましくは９ｍｍ以下、さらに好ましくは７ｍｍ以下である。また、凹部１３の幅Ｗｄは、舌１００を載せやすくするという観点から、２ｍｍ以上、好ましくは４ｍｍ以上、さらに好ましくは５ｍｍ以上である。そして、舌受け治具１０が舌小帯に当たらないようにするという観点から、２５ｍｍ以下、好ましくは１０ｍｍ以下、さらに好ましくは７ｍｍ以下である。凹部１３の幅Ｗｄは、上記範囲にあれば、凹部１３の位置によって異なっていても良い。
【００１９】
上記のように本体部１１に凹部１３が配されることから、本体部１１に舌１００を載せたとき、凹部１３内に舌の周縁部が入り込むので、舌１００が保持されやすくなり舌の位置決めがさらに容易になる。すなわち、凹部１３は舌１００を安定的に維持する機能を有する。また、舌１００の外周部に本体部１１が配される。それによって、舌１００の周縁部に配される本体部１１と舌１００とのコントラストが得やすくなるので、鮮明な舌画像の取得が容易になる。
【００２０】
また本体部１１の厚みＴは、図４に示した舌受け治具１０Ｂでは、舌（図示せず）と口腔底との間の口腔内への挿入のしやすさを考慮して決定される。例えば、１０ｃｍ×１０ｃｍの厚みの異なる発泡スチロール板を舌と口腔底との間に挟んで、舌の出しやすさを調べた。その結果、厚みが２ｍｍ、５ｍｍ、１０ｍｍのものでは、舌を十分に出すことができた。しかし、厚みが１２ｍｍのものでは、舌の舌根、舌中の部分が口腔上部側に押し上げられた状態になり、舌を十分に出すことができなかった。よって、舌受け治具１０の厚みは、１０ｍｍ以下、好ましくは５ｍｍ以下、さらに好ましくは２ｍｍ以下とする。
【００２１】
図５に示した舌受け治具１０Ｃでは、本体部１１の厚みＴは、舌（図示せず）と口腔底との間の口腔内への挿入のしやすさを考慮して、１２ｍｍ以下、好ましくは７ｍｍ以下、さらに好ましくは４ｍｍ以下である。
【００２２】
さらに、図６に示すように、切込み部１２を含めた本体部１１の角部や縁部は、舌１００に対して優しく当たるようにするため丸くすることが好ましい。特に本体部１１が板体またはシートの場合、その外周縁のみ厚くして断面が丸みを有するように丸み部１１Ｒを持たせることが好ましい。このような丸み部１１Ｒを有することで、舌当たりが良くなり、舌１００が本体部１１の外周縁に当たった場合であっても安心感が得られる。
さらに、切込み部１２を除く本体部１１は、指にて保持し易いように、滑り止め加工（例えば、微細な凹凸加工）等を施してもよい。
【００２３】
本体部１１の材質は、本体部１１を口腔内に挿入する点から、食器等に使われる素材を用いることが好ましい。例えば、使い捨てコップや使い捨て皿に用いられるようなポリエチレンラミネート紙、ポリサンド紙、エイコート紙、ポリプロピレンラミネート紙、等の紙製品が挙げられる。紙の場合、耐久性、衛生面を考慮して、使い捨てとすることが好ましい。また耐久性、衛生面を考慮して、煮沸消毒可能な耐熱性の食器に使われる樹脂を用いることが好ましい。そのような樹脂として、例えば、メラミン樹脂、ポリプロピレン樹脂、ポリブチレンテレフタレート樹脂、ポリエチレン樹脂、アクリロニトリル・スチレン共重合体（ＡＳ）樹脂、等が挙げられる。
【００２４】
本体部１１の表面と舌１００の表面とはコントラスト（輝度差）が得られる。そのためには、本体部１１の表面は、舌１００の表面に対して光反射率差があることが好ましい。
健康な成人男性の代表的な舌の可視光領域における分光反射率は図７に示すようになっている。図７に示すように、舌は、表面に舌苔がある場合とない場合とで、分光反射率が異なっている。このことを考慮して、本体部１１の分光反射率が規定されることが好ましい。すなわち、舌の表面に舌苔がある場合とない場合の両方に対して、光反射率差が生じるように規定されることが好ましい。
【００２５】
例えば、可視光の波長域において、画像処理によって舌１００の輪郭を得るためには、本体部１１の光反射率が舌１００の光反射率よりも１０％以上高いことが好ましく、２０％以上高いことがより好ましく、３０％以上高いことがさらに好ましい。もしくは、本体部１１の光反射率が舌１００の光反射率よりも１０％以上低いことが好ましく、２０％以上低いことがより好ましく、３０％以上低いことがさらに好ましい。
例えば、本体部１１は、波長４００ｎｍから８００ｎｍの可視光に対する５０ｎｍごとの分光反射率が以下の条件の一部又は全部を満たしていることが望ましい。
波長４００ｎｍ以上４５０ｎｍ未満の光に対して３０％以上、
波長４５０ｎｍ以上５００ｎｍ未満の光に対して３５％以上、
波長５００ｎｍ以上５５０ｎｍ未満の光に対して３５％以上、
波長５５０ｎｍ以上６００ｎｍ未満の光に対して３５％以上、
波長６００ｎｍ以上６５０ｎｍ未満の光に対して６０％以上もしくは５％以下、
波長６５０ｎｍ以上７００ｎｍ未満の光に対して６５％以上もしくは３０％以下、
波長７００ｎｍ以上７５０ｎｍ未満の光に対して６５％以上もしくは３０％以下、
波長７５０ｎｍ以上８００ｎｍ未満の光に対して５５％以上もしくは１５％以下である。
上記のように分光反射率を規定することによって、舌１００を撮影するときの背景色を白や黒に限定することなく、舌１００とのコントラストに必要な条件について鮮明化することが可能となる。
【００２６】
上記分光反射率の測定は、ハイパースペクトルカメラ  ＨＳＣ１７００（エバ・ジャパン株式会社製）を用いて、波長４００ｎｍから８００ｎｍまで５ｎｍきざみで測定した。
【００２７】
舌受け治具１０の本体部１１は、上記分光反射率の範囲を満たす色であることが好ましい。例えば、舌１００の表面に対する可視光線の反射率よりも高い反射率を有する色であることがより好ましく、白色であることが特に好ましい。
本明細書の説明においては、上記白色とは、自然光の中で目視によって白く見える範囲の色をいう。例えば、酸化マグネシウムや硫酸バリウムのような可視光線を９９％以上反射するような白色、また乳白、銀白、鉛白、チタン白等の白色系の色であり、アイボリー等の白色近似色も含む。白色近似色の場合、可視光線に対する反射率が９０％以上であれば、多少の色みを帯びた白色も上記の白色の範囲とする。
本体部１１が白色を有することから、舌１００の可視光線に対する光反射率に対して、本体部１１は十分大きな光反射率を有することになる。このため、本体部１１を背景にして舌１００を撮影した場合に、舌１００の撮影画像における舌１００の輪郭が鮮明化される。
【００２８】
次に、上記舌受け治具１０を用いて舌画像を取得する方法について図８を参照して説明する。
図８に示すように、舌受け治具１０を、口腔１２０内から出した舌１００と口腔底（図示せず）の間に、切込み部１２を舌根１１１方向にして、かつ舌１００に対してほぼ平行にして挿入する。舌受け治具１０の挿入は、例えば、舌１００を撮影される本人が行う場合には、切込み部１２とは反対側の舌受け治具１０の角部２か所を右人差し指１３１と親指１３２、左人差し指１４１と親指１４２でつまみ持って行う。挿入の方法はこれに限定されることはなく、舌受け治具１０を舌１００と口腔底の間に挿入できれば、いかなる方法であってもよい。
【００２９】
舌受け治具１０を挿入した状態で舌１００を舌受け治具１０に載せて静止させた状態を維持する。その際、舌１００の周囲に舌受け治具１０が見えていることを確認する。舌１００の周囲の一部分でも舌受け治具１０が見えていない部分がある場合には、舌受け治具１０を移動させ、舌１００の周囲にわたって舌受け治具１０が見えるように調整する。また、舌根１１１、舌中１１２、舌尖１１３、左右の舌辺１１４、１１５等の舌１００の各部位が正対して見えているか、確認する。見えていない場合には、舌１００を動かして、各部位が見えるようにする。特に左右の舌辺１１４、１１５のそれぞれの側部が本体部１１によって隠されないようにする必要がある。このように、舌１００の外形全体が見えるように舌受け治具１０に舌１００を載せて静止させる。
【００３０】
以上のように舌１００と本体部１１の位置等を調整した後、舌１００の位置を維持した状態で舌１００の表面を、例えば図示していない撮影装置（例えば、デジタルカメラ）で撮影して舌画像を取得する。舌１００の撮影に際し、舌１００の画像が暗くなる場合には、照明を用いることも好ましい。その際、舌１００の影が舌受け治具１０に写らないように、複数方向から照明を当てることが好ましい。また、無影照明を用いることがより好ましい。例えば、簡易的な無影照明として、リング状ストロボや光拡散板を装着したストロボが挙げられる。
このようにして、舌１００を撮影して、舌画像を取得する。舌画像は、後処理をしやすくするために、デジタル画像であることが好ましい。
【００３１】
上記舌受け治具１０を用いた舌画像取得方法では、舌受け治具１０は、舌１００を撮影する際に舌１００が動かないように安定的に静止状態を維持する治具として有効である。そのため、例えば毎日定時に舌画像を取得して舌の継時変化を診るような場合や、舌画像診断に適用することができる。また舌画像を用いて、非医療的に舌診を行うことができる。本明細書において、非医療的に舌診を行うとは、医師または医師の指示を受けた者以外の者が行う舌診を意味する。例えば、舌画像取得方法で取得した舌画像を診て被験者が自己健康管理することができる。
【００３２】
上述した実施形態に関し、本発明はさらに以下の舌受け治具および舌画像取得方法ならびに健康管理方法を開示する。
＜１＞
口腔内から出した舌と口腔底の間に挿入する舌受け治具であって、前記舌の背景となり、前記舌に対してコントラストを有する舌受け治具。
＜２＞
波長４００ｎｍから８００ｎｍの可視光の波長域において、前記舌受け治具の平均光反射率が前記舌の平均光反射率よりも１０％以上高い、もしくは、１０％以上低い、＜１＞に記載の舌受け治具。
＜３＞
波長４００ｎｍから８００ｎｍの可視光の波長域において、前記舌受け治具の平均光反射率が前記舌の平均光反射率よりも２０％以上高い、もしくは、２０％以上低い、＜１＞に記載の舌受け治具。
＜４＞
波長４００ｎｍから８００ｎｍの可視光の波長域において、前記舌受け治具の平均光反射率が前記舌の平均光反射率よりも３０％以上高いか、もしくは、３０％以上低い、＜１＞に記載の舌受け治具。
＜５＞
波長４００ｎｍから８００ｎｍの可視光に対する５０ｎｍごとの分光反射率が以下の条件、
波長４００ｎｍ以上４５０ｎｍ未満の光に対して３０％以上、
波長４５０ｎｍ以上５００ｎｍ未満の光に対して３５％以上、
波長５００ｎｍ以上５５０ｎｍ未満の光に対して３５％以上、
波長５５０ｎｍ以上６００ｎｍ未満の光に対して３５％以上、
波長６００ｎｍ以上６５０ｎｍ未満の光に対して６０％以上もしくは５％以下、
波長６５０ｎｍ以上７００ｎｍ未満の光に対して６５％以上もしくは３０％以下、
波長７００ｎｍ以上７５０ｎｍ未満の光に対して６５％以上もしくは３０％以下、
波長７５０ｎｍ以上８００ｎｍ未満の光に対して５５％以上もしくは１５％以下、の一部又は全部を満たしている＜１＞に記載の舌受け治具。
＜６＞
波長４００ｎｍから８００ｎｍの可視光の波長域において、前記舌受け治具の平均光反射率が９０％以上である白色または白色近似色である＜１＞に記載の舌受け治具。
＜７＞前記舌受け治具は、前記口腔内から前記舌を出した状態で正面からみた前記舌の大きさよりも大きい本体部を備え、前記本体部の一方に前記舌の大きさよりも小さい切込み部を有する＜１＞から＜６＞のいずれか１に記載の舌受け治具。
＜８＞
前記舌から前記舌受け治具がはみ出す長さが、１ｍｍ以上、４００ｍｍ以下である＜１＞から＜７＞のいずれか１に記載の舌受け治具。
＜９＞
前記舌受け治具は、前記口腔内から前記舌を出した状態で正面からみた前記舌の大きさよりも大きい本体部を備え、前記本体部の一方に前記舌の大きさよりも小さい切込み部を有する＜１＞から＜８＞に記載の舌受け治具。
＜１０＞
前記切込み部の長さが４ｃｍ以上、舌の長さ以下であり、前記切込み部幅が３ｃｍ以上、舌の幅以下である＜９＞に記載の舌受け治具。
＜１１＞
前記舌受け治具の厚みが１０ｍｍ以下である＜１＞から＜１０＞のいずれか１に記載の舌受け治具。
＜１２＞
前記本体部の舌を載せる側に配され、かつ前記切込み部の外周側に連続する凹部を有する＜９＞又は＜１０＞に記載の舌受け治具。
＜１３＞
前記舌受け治具の本体部の角部、及び縁部が丸みを有する＜１＞〜＜１２＞のいずれか１に記載の舌受け治具。
＜１４＞
＜１＞〜＜１３＞のいずれか１に記載の舌受け治具を、口腔内から出した舌と口腔底の間に挿入した状態で撮影して舌画像を取得する舌画像取得方法。
＜１５＞
＜１４＞に記載の舌画像を用いて、非医療的に舌診を行う健康管理方法。
【符号の説明】
【００３３】
１０，１０Ａ，１０Ｂ，１０Ｃ  舌受け治具
１１  本体部
１１Ｒ  丸み部
１２  切込み部
１３  凹部
１４  丸み
２１  延長部
１００  舌
１１１  舌根
１１２  舌中
１１３  舌尖
１１４，１１５  舌辺
Ｌｃ  切込み部長さ
Ｌ  本体部の長さ
Ｌｅ  延長部の長さ
Ｌｔ  舌長
Ｌｄ  舌からはみ出した本体部の長さ
Ｔ  本体部の厚み
Ｔｂ  板体（又はシート）の厚み
Ｗｃ  切込み部幅
Ｗｅ  延長部の幅
Ｗｄ  凹部の幅
Ｗｔ  舌幅
【図１】
0006650205.tif 000002
【図２】
0006650205.tif 000003
【図３】
0006650205.tif 000004
【図４】
0006650205.tif 000005
【図５】
0006650205.tif 000006
【図６】
0006650205.tif 000007
【図７】
0006650205.tif 000008
【図８】
0006650205.tif 000009